(57)【要約】【課題】椎骨連結部材及びロッド受け部材，揺動ヘッドをスクリュー本体の頭部に対して容易に一体化固定することのできる椎骨連結部材の支持装置を提供する。【解決手段】椎骨の椎体に螺入埋設するネジ部３を備えたスクリュー本体５の頭部７に揺動可能に支持された揺動ヘッド１１に、椎骨連結部材であるロッド１３を係合支持するロッド係合部１５を備えると共に固定ネジ１９を備え、このロッド係合部１５内に、工具挿通穴２７を備えかつロッド１３との係合面を備えたロッド受け部材１７を備え、ロッド受け部材１７に、工具挿通穴２７に連通した拡縮可能なスリット３１を備え、固定ネジ１９によってロッド１３を締付けたとき、スクリュー本体３の頭部７とロッド受け部材１７の係合凹部２９とが弾性的に係合して一体化され、かつロッド受け部材１７と揺動ヘッド１１とが弾性的に係合して一体化される構成である。【選択図】図１
2007296083.tif 000002
【特許請求の範囲】
【請求項１】
椎骨における椎体に螺入埋設するネジ部を備えたスクリュー本体に球体状の頭部を備え、この頭部に揺動可能に支持された揺動ヘッドに、椎骨連結部材であるロッドを係合支持するロッド係合部を備えると共に、上記ロッドを締付け固定するための固定ネジを備え、このロッド係合部内に、前記スクリュー本体の前記頭部に対応する位置に工具挿通穴を備え、かつ上面に前記ロッドとの係合面を備えたロッド受け部材を備え、このロッド受け部材の下面に、前記スクリュー本体の前記頭部に係合する係合凹部を備えてなり、かつ前記ロッド受け部材に、前記工具挿通穴に連通した拡縮可能なスリットを備えていることを特徴とする椎骨連結部材の支持装置。
【請求項２】
請求項１に記載の椎骨連結部材の支持装置において、前記スクリュー本体の前記頭部の表面又は前記ロッド受け部材における係合凹部の表面の少なくとも一方の表面を粗面に形成してあることを特徴とする椎骨連結部材の支持装置。
【請求項３】
請求項２に記載の椎骨連結部材の支持装置において、前記固定ネジによって前記ロッドを締付けたとき、前記スクリュー本体の頭部とロッド受け部材の係合凹部とが弾性的に係合して一体化され、かつ前記ロッド受け部材と前記揺動ヘッドとが弾性的に係合して一体化される構成であることを特徴とする椎骨連結部材の支持装置。
【発明の詳細な説明】
【技術分野】
【０００１】
本発明は、脊椎における複数の椎骨を一体的に連結するためのロッドなどの椎骨連結部材を支持する支持装置に関する。
【背景技術】
【０００２】
脊椎における複数の椎骨を一体的に連結する場合、椎骨における椎体に螺入埋設するネジ部を備えたスクリュー本体を各椎骨に固定し、各スクリュー本体の頭部でもってロッドなどの椎骨連結部材を固定支持する構成である。この場合、スクリュー本体と前記頭部とが一体構成の場合には、前記頭部の方向性とロッドの方向性を整合する必要があるなど、スクリュー本体の固定に注意を払う必要があるという問題がある。
【０００３】
そこで、スクリュー本体に対して頭部が揺動可能な構成も提案されている（特許文献１参照）。
【特許文献１】特開２００４−９７７０５号公報
【発明の開示】
【発明が解決しようとする課題】
【０００４】
上記特許文献１に記載の構成は、図４に示すごとき構成である。すなわち、椎骨連結部材の支持装置１は、椎骨（図示省略）における椎体に螺入埋設するネジ部３を形成したスクリュー本体５を備えている。このスクリュー本体５の頭部７は球体状に形成してあり、この頭部７の頂部には、前記ネジ部３を椎体に対して螺入するときの工具（図示省略）の先端部が係合する工具係合孔９が形成してある。
【０００５】
前記スクリュー本体５の頭部７には、揺動ヘッド１１が揺動可能に支持されている。より詳細には、前記揺動ヘッド１１の下部には、前記頭部７に揺動可能に係合する球面状部を備えた係合穴１１Ｈが備えられている。また、揺動ヘッド１１には、複数の椎骨を連結するための椎骨連結部材としての適宜長さのロッド１３を係合支持する溝状の又は長穴状のロッド係合部１５が形成してある。このロッド係合部１５内には、ロッド受け部材１７が底部側に配置してあると共に、前記ロッド１３を締付け自在な固定ネジ１９が螺合してある。
【０００６】
前記ロッド受け部材１７の上面には、図５に示すように、前記ロッド１３を係合支持する円弧状の係合凹部２１が上面に形成してあり、この係合凹部２１の長手方向の長端部側には、微小突出部２３が形成してある。上記ロッド受け部材１７の長手方向の中央部の下面には、前記揺動ヘッド１１における係合穴１１Ｈ内へ僅かに突出した突出係合部２５が形成してある。また、ロッド受け部材１７の長手方向の中央部には、前記スクリュー本体５における頭部７に形成した工具係合孔９へ係合する工具（図示省略）を挿通するための工具挿通穴２７が形成してあり、この工具挿通穴２７の下部は、前記頭部７と係合するように球状部を備えた係合凹部２９に形成してある。
【０００７】
上記構成において、スクリュー本体５のネジ部３を脊椎における椎骨の椎体に螺入埋設して固定すると、揺動ヘッド１１は、椎骨に対して揺動可能な状態に支持される。したがって、複数の椎骨を一体的に連結するためのロッド１３の位置，方向性に対応して揺動ヘッド１１を任意，所望の方向に揺動，回転してロッド１３の長手方向とロッド係合部１５の方向性とを整合することができ、上記ロッド係合部１５に対してロッド１３を容易に係合することができるものである。
【０００８】
上述のごとく、揺動ヘッド１１におけるロッド係合部１５にロッド１３を係合した後、固定ネジ１９を締付けることにより、ロッド係合部１５内のロッド受け部材１７に対してロッド１３を押圧し固定することができる。この際、前記固定ネジ１９の締付けによってロッド１３の固定が行われるものの、スクリュー本体５における頭部７に対して、揺動ヘッド１１及びロッド受け部材１７は揺動可能な状態にあるので、上記揺動ヘッド１１及びロッド受け部材１７も同時にスクリュー本体５の頭部７に一体的に固定されることが望まれていた。
【課題を解決するための手段】
【０００９】
本発明は、前述のごとき問題に鑑みてなされたもので、椎骨における椎体に螺入埋設するネジ部を備えたスクリュー本体に球体状の頭部を備え、この頭部に揺動可能に支持された揺動ヘッドに、椎骨連結部材であるロッドを係合支持するロッド係合部を備えると共に、上記ロッドを締付け固定するための固定ネジを備え、このロッド係合部内に、前記スクリュー本体の前記頭部に対応する位置に工具挿通穴を備え、かつ上面に前記ロッドとの係合面を備えたロッド受け部材を備え、このロッド受け部材の下面に、前記スクリュー本体の前記頭部に係合する係合凹部を備えてなり、かつ前記ロッド受け部材に、前記工具挿通穴に連通した拡縮可能なスリットを備えていることを特徴とするものである。
【００１０】
また、前記椎骨連結部材の支持装置において、前記スクリュー本体の前記頭部の表面又は前記ロッド受け部材における係合凹部の表面の少なくとも一方の表面を粗面に形成してあることを特徴とするものである。
【００１１】
また、前記椎骨連結部材の支持装置において、前記固定ネジによって前記ロッドを締付けたとき、前記スクリュー本体の頭部とロッド受け部材の係合凹部とが弾性的に係合して一体化され、かつ前記ロッド受け部材と前記揺動ヘッドとが弾性的に係合して一体化される構成であることを特徴とするものである。
【発明の効果】
【００１２】
本発明によれば、固定ネジによってロッドを締付けると、ロッドを介してロッド受け部材がスクリュー本体の頭部へ押圧されて固定される。また、ロッド受け部材がスクリュー本体の頭部へ押圧されると僅かに拡張されて、ロッド受け部材と揺動ヘッドとが固定される。すなわち固定ネジを締付けることにより、スクリュー本体の頭部に対して揺動ヘッド，ロッド受け部材が同時に一体的に固定されるものである。
【発明を実施するための最良の形態】
【００１３】
以下、図面を用いて本発明の実施形態に係る椎骨連結部材の支持装置について説明するに、支持装置に係る構成の全体的構成は、前述した従来の支持装置１の構成とほぼ同一であるから、同一機能を奏する構成要素には同一符号を付することとして、重複した説明は省略する。
【００１４】
本実施形態において、前述した従来の構成と異なる構成は、ロッド受け部材１７の構成である。より詳細には、前記ロッド受け部材１７の外側部から前記工具挿通穴２７に連通して拡縮可能なスリット３１を設けた構成にある。
【００１５】
上述のように、ロッド受け部材１７にスリット３１を形成した構成においては、前述したように、固定ネジ１９によってロッド１３を締付けると、ロッド受け部材１７はロッド１３を介してスクリュー本体５の頭部７へ押圧される。したがって、上記頭部７はロッド受け部材１７における係合凹部２９に相対的に入り込む態様となり、前記スリット３１を僅かに拡張（拡大）するように、ロッド受け部材１７に弾性変形を付与することになる。
【００１６】
よって、前記スクリュー本体５の頭部７は、前記ロッド受け部材１７と弾性的に係合し、強力に挟圧されることとなり、摩擦力によって一体的に固定される。また、前記ロッド受け部材１７におけるスリット３１が僅かに拡大するように、ロッド受け部材１７が弾性変形されることにより、ロッド受け部材１７は揺動ヘッド１１を拡張するように強力に押圧することになり、両方の間の摩擦力によってロッド受け部材１７と揺動ヘッド１１とが一体的に固定される。
【００１７】
上記説明より理解されるように、固定ネジ１９によってロッド１３を締付け固定すると、ロッド１３を係合支持するロッド受け部材１７がスクリュー本体５の頭部７に一体的に固定されると共に、揺動ヘッド１１とロッド受け部材１７との一体化固定が同時に行われるものである。したがって、スクリュー本体５によるロッド１３の支持が安定して行われるものである。
【００１８】
前記説明より理解されるように、前記スクリュー本体５の頭部７とロッド受け部材１７の係合凹部２９との固定は摩擦力によって行われるものであるから、より摩擦力を大きくするために、前記頭部７の表面又は係合凹部２９の表面の少なくとも一方を、例えばショットブラスト等によって適宜の粗面に形成することが望ましいものである。また、前記ロッド受け部材１７と前記揺動ヘッド１１との接触面も粗面に形成しておくことが望ましいものである。
【図面の簡単な説明】
【００１９】
【図１】本発明の実施形態に係る支持装置に使用するロッド受け部材の斜視説明図である。
【図２】本発明の実施形態に係る支持装置に使用するロッド受け部材の平面説明図である。
【図３】本発明の実施形態に係る支持装置に使用するロッド受け部材の側面説明図である。
【図４】支持装置の構成を示す説明図である。
【図５】従来の支持装置に使用されているロッド受け部材の構成を示す説明図である。
【符号の説明】
【００２０】
１    支持装置
３    ネジ部
５    スクリュー本体
７    頭部
１１    揺動ヘッド
１３    ロッド
１７    ロッド受け部材
１９    固定ネジ
２７    工具挿通穴
２９    係合凹部
３１    スリット
【図１】
2007296083.tif 000003
【図２】
2007296083.tif 000004
【図３】
2007296083.tif 000005
【図４】
2007296083.tif 000006
【図５】
2007296083.tif 000007